(57)【特許請求の範囲】
【請求項１】
基材の印字面に、サーマル層の赤外発色による光学読取コードからなる光学読取コードと、光学読取コードを隠蔽する赤外光非吸収材からなる隠蔽層と、を備えてなるとともに、前記基材の印字面に対して前記光学読取コードをサーマルヘッドで印字したときの該サーマルヘッドの熱擦過の影響による印字痕が凹凸に紛れて確認できなくなるようにする手段として、前記隠蔽層が赤外光非吸収インキにマット剤を添加した混合インキで構成されていることを特徴とする光学読取帳票。
【請求項２】
基材の印字面に、可視光域で淡色の赤外光吸収材からなる判定コードと、判定コードを隠蔽する赤外光非吸収材からなる隠蔽層と、を更に備えたことを特徴とする請求項１に記載の光学読取帳票。
【請求項３】
基材の非印字面であって光学読取コードの対応位置に、遮光性インキによる透過防止層が設けられていることを特徴とする請求項１又は２に記載の光学読取帳票。
【発明の詳細な説明】
【技術分野】
【０００１】
本発明は、コピー機による複製を防ぐことが可能な光学読取帳票に関する。
【背景技術】
【０００２】
光学読取装置で読み取られる光学読取コードとして、一般にＱＲコード（登録商標、以下同じ。）が広く知られている。通常このＱＲコードのシンボルは、紙やラベル等からなる基材の上に、トナー印字、サーマル印字、墨インキや色インキによる印刷等の方法により形成されている（例えば、下記の特許文献１を参照。）。また、ＱＲコードのデータを読み取る方法としては、一般的にはＣＣＤカメラで画像を撮影し、コントラスト値（背景セルと色セルとの差異）を取得して読み取る方法がある。
【先行技術文献】
【特許文献】
【０００３】
【特許文献１】特開２００１−３０７１５４号公報
【発明の概要】
【発明が解決しようとする課題】
【０００４】
ところが、上記ＱＲコードが付された帳票をコピー機で複写すると、複写後の帳票のＱＲコードは、上記方法によりそのデータが読み取れてしまう。このため、コピー機を利用すれば、正規のＱＲコードが付された帳票と同じものを簡単に複製することができるという問題があった。
【０００５】
そこで、本発明はこのような問題を解決するためになされたものであり、その目的とするところは、コピー機を利用した光学読取コードの複製を防止することにある。
【課題を解決するための手段】
【０００６】
上記の目的を達成するため、本発明に係る光学読取帳票は、基材の印字面に、サーマル層の赤外発色による光学読取コードからなる光学読取コードと、光学読取コードを隠蔽する赤外光非吸収材からなる隠蔽層と、を備えてなるとともに、前記基材の印字面に対して前記光学読取コードをサーマルヘッドで印字したときの該サーマルヘッドの熱擦過の影響による印字痕が凹凸に紛れて確認できなくなるようにする手段として、前記隠蔽層が赤外光非吸収インキにマット剤を添加した混合インキで構成されていることを特徴とする。
【０００７】
基材は、使用するプリンタに合わせて、例えば上質紙、再生紙、サーマル紙、熱転写用コート紙、ラベルなどの紙類や、ポリエステルフィルム、ポリプロピレンフィルムなどの樹脂フィルムを使用することができる。プリンタについては、例えばインクジェットプリンタ、レーザープリンタ、サーマルプリンタ、熱転写プリンタ等、各種印字方式のプリンタを使用することができる。
【００１０】
また、本発明に係る光学読取帳票は、基材の印字面に、可視光域で淡色の赤外光吸収材からなる判定コードと、判定コードを隠蔽する赤外光非吸収材からなる隠蔽層と、を更に備えたことを特徴とする。
【００１２】
なお、基材の非印字面であって光学読取コードの対応位置に、遮光性インキによる透過防止層が設けられていると良い。
【発明の効果】
【００１３】
本発明に係る光学読取帳票によれば、これをコピー機で複写すると、赤外光非吸収材からなる隠蔽層がトナーにより複写され、見た目には一様に再現されてしまうので、隠蔽層に隠された光学読取コードのシンボル形状を再現することは不可能である。このため、複写後の光学読取帳票は、トナーに若干の赤外光吸収特性があったとしても、光学読取コードのシンボル形状を明確に認識することができない。したがって、複写後の光学読取帳票は、光学読取コードに記録されたデータを光学読取装置で読み取ることができず、複製されたものであることを容易に判別でき、コピー機を利用した偽造を確実に防止することができる。
【図面の簡単な説明】
【００１４】
【図１】本発明に係る光学読取帳票の第１実施形態を示す平面図。
【図２】図１の光学読取帳票のＡ−Ａ断面図。
【図３】図１の光学読取帳票の変形例を示す断面図。
【図４】図１の光学読取帳票の変形例を示す断面図。
【図５】図１の光学読取帳票の変形例を示す断面図。
【図６】本発明に係る光学読取帳票の第２実施形態を示す平面図。
【図７】図６の光学読取帳票のＢ−Ｂ断面図。
【図８】図６の光学読取帳票の変形例を示す断面図。
【図９】図６の光学読取帳票の変形例を示す断面図。
【図１０】図６の光学読取帳票の変形例を示す断面図。
【図１１】本発明に係る光学読取帳票の第３実施形態を示す平面図。
【図１２】図１１の光学読取帳票のＣ−Ｃ断面図。
【図１３】本発明に係る光学読取帳票の第４実施形態を示す平面図。
【図１４】図１３の光学読取帳票のＤ−Ｄ断面図。
【図１５】本発明に係る光学読取帳票の第５実施形態を示す平面図。
【図１６】図１５の光学読取帳票のＥ−Ｅ断面図。
【発明を実施するための形態】
【００１５】
以下、本発明を実施するための形態について、願書に添付した図面を参照しながら詳細に説明する。
【００１６】
〔第１実施形態〕
図１〜５に本発明の第１実施形態を示す。図１に示すように、本実施形態の光学読取帳票１０は、基材１１の印字面に、光学読取コード印字欄１２に印字された光学読取コード１３を隠蔽する隠蔽層１４を設け、コピー機による光学読取コード１３の複製を防止する機能を持たせたものである。
【００１７】
本実施形態では、サーマルプリンタで印字できるように、基材１１として赤外発色するサーマル紙を使用している。図２に示すように、このサーマル紙１１は、用紙１１ａの上にサーマル層１１ｂを積層一体化したものである。サーマル層１１ｂは、赤外発色するロイコ染料（電子供与体）と酸性物質（電子受容体）を樹脂バインダ中に固体微粒子として分散させ、これを用紙１１ａの上に均一に塗布することにより構成されている。そして、このサーマル層１１ｂをサーマルヘッドで加熱すると、ロイコ染料と酸性物質の両成分が互いに反応して赤外発色し、特定波長域の赤外光を吸収する特性を有するようになっている。
【００１８】
サーマル紙１１の中央には読取コード印字欄１２が設けられており、この印字欄１２には、所定の情報を光学読取装置で読み取るための光学読取コード１３が印字される。本実施形態では、光学読取コード１３の一例としてモデル１のＱＲコードを採用し、光学読取コード(ＱＲコード)１３のシンボルのうちファインダパターン、タイミングパターン及びデータセルが、サーマル層１１ｂを加熱することでサーマル印字される。ＱＲコード１３のデータセルには、各種のデータがコード変換されて記録される。
【００１９】
読取コード印字欄１２には、印字されるＱＲコード１３を外部から視認できないように隠蔽するために、隠蔽層１４が設けられている。隠蔽層１４は、特定波長域の赤外光を吸収しない赤外光非吸収インキからなり、このインキをサーマル層１１ｂの上からＱＲコード１３のサイズに合わせて被覆印刷することにより構成されている。
【００２０】
ＱＲコード１３をサーマル印字する際には、サーマルヘッドで熱擦過するため、隠蔽層１４の表面状態が熱収縮等により変形し、隠蔽層１４を構成する赤外光非吸収インキが素抜け状態になることがある。このような熱擦過の影響を受けると、隠蔽層１４の上から目視でＱＲコード１３のシンボル形状を認識することができるため、ＱＲコード１３を複製されてしまうという不具合がある。
【００２１】
そこで本実施形態では、印字面のインキが素抜け状態とならないように、隠蔽層１４の上に保護層１５を設けたことが特徴である。保護層１５は、隠蔽層１４の上からサーマル紙１１の全面にわたり透明なマットインキをオーバープリントすることによって、表面が凹凸状態（マット状態）になるように構成されている。このようなマットインキの一例として、ＵＶマットＯＰニス（Ｔ＆Ｋ ＴＯＫＡ製、商品名）を使用することができる。
【００２２】
ところで、用紙１１ａに薄紙（例．紙厚８０μｍ程度）を使用した場合、サーマル紙１１を光にかざすことにより、隠蔽層１４で被覆されたＱＲコード１３が用紙１１ａの裏側から透けて見えてしまうことも考えられる。これを回避するために、サーマル紙１１の非印字面には、光学読取コード印字欄１２と対応する位置に透過防止層１６が設けられている。この透過防止層１６は、光を遮る遮光性インキを用紙１１ａの裏面にベタ塗りで全面印刷するか、あるいは地紋等で部分印刷することにより構成することができる。
【００２３】
本実施形態の光学読取帳票１０は以上のように構成されており、以下その作用について説明する。この光学読取帳票１０によれば、印字面の最表層にマットインキからなる保護層１５が設けられている。このため、ＱＲコード１３の印字時に、サーマルヘッドの熱擦過の影響で印字面が荒らされても、保護層１５がマットインキの特性により元々凹凸状態（マット状態）であるため、その凹凸に紛れて印字痕がまったく確認できなくなる。したがって、保護層１５の上から目視でＱＲコード１３のシンボル形状を認識することができないので、ＱＲコード１３の複製を防ぐことができる。
【００２４】
また、用紙１１ａの裏面に設けられた透過防止層１６によって、光の透過が遮られるようになっている。このため、この帳票１０を光にかざしてもＱＲコード１３が裏側から透けて見えることがなく、不正な読み取りを防ぐこともできる。
【００２５】
一方、この光学読取帳票１０のデータを読み取る場合、光学読取装置（ＱＲコードリーダー）から照射された赤外光が、透明なマットインキからなる保護層１５と赤外光非吸収インキからなる隠蔽層１４を透過し、ＱＲコード１３のシンボルに照射される。ここで、ＱＲコード１３のシンボルはサーマル層１１ｂの赤外発色により構成されているため、赤外光を吸収して明確に認識される。したがって、ＱＲコード１３のシンボル全体を認識することができるので、データセルに記録されたデータを正確に読み取ることができる。
【００２６】
また、この光学読取帳票１０をコピー機で複写した場合、赤外光非吸収インキからなる隠蔽層１４がトナーによって複写され、見た目には一様な黒ベタ状態で再現されてしまうので、隠蔽層１４の下に隠れたＱＲコード１３のシンボル形状を再現することは不可能である。このため、複写後の光学読取帳票１０は、トナーに若干の赤外光吸収特性があったとしても、ＱＲコード１３のシンボル形状を明確に認識することができない。したがって、複写後の光学読取帳票１０は、ＱＲコード１３にコード化されたデータをＱＲコードリーダーで読み取ることができないため、複製されたものであることを容易に判別でき、コピー機を利用した偽造を確実に防止することができる。
【００２７】
さらに、本実施形態では次のような変形例を採用しても良い。図３に示す光学読取帳票１０は、サーマル層１１ｂの赤外発色によるＱＲコード１３に代えて、赤外光吸収材からなるＱＲコード１８を採用したものである。この光学読取帳票１０は、例えば上質紙、再生紙、コート紙等の紙類や、ポリエステルフィルム、ポリプロピレンフィルム等の樹脂フィルムからなる基材１７の上に、ＩＲインキ（赤外線乾燥型インキ）、炭素系の黒色顔料を含有したインキ、あるいは赤外光吸収剤を補助剤として添加したインキ等の、赤外光吸収インキでＱＲコード１８が印字されている。なお、基材１７の表面全体にマットインキによる保護層１５が設けられ、基材１７の裏面に遮光性インキによる透過防止層１６が設けられている点は、図２のものと同様である。
【００２８】
図４に示す光学読取帳票１０は、基材に赤外発色するサーマル紙１１を使用したものであるが、サーマル紙１１の上に形成される隠蔽層１９の構成が異なっている。この隠蔽層１９は、赤外光吸収特性を有しない黒色インキにマット剤（粒子径の大きい無色顔料）を添加した混合インキを使用し、この混合インキをサーマル層１１ｂの上から光学読取コード印字欄１２（ＱＲコード１３のサイズ）の領域に限定して印刷したものである。なお、ＱＲコード１３がサーマル層１１ｂの赤外発色により構成され、サーマル紙１１の裏面に遮光性インキによる透過防止層１６が設けられている点は、図２のものと同様である。
【００２９】
図５に示す光学読取帳票１０は、図３のものと同様に赤外光吸収材からなるＱＲコード１８を採用し、図４のものと同様に赤外光を吸収しない黒色インキにマット剤を添加した混合インキで隠蔽層１９を印刷したものである。なお、基材１７の裏面に遮光性インキによる透過防止層１６が設けられている点は、図２のものと同様である。
【００３０】
これら図３，４，５に示す例によれば、いずれも光学読取コード印字欄１２にマットインキを印刷した保護層１５か、あるいは赤外光を吸収しない黒色インキにマット剤を添加した混合インキを印刷した隠蔽層１９が設けられている。このため、ＱＲコード１３，１８の印字時に、サーマルヘッドの熱擦過の影響を受けても、元々マット状態の保護層１５や隠蔽層１９の凹凸に紛れて印字痕がまったく確認できなくなる。したがって、保護層１５や隠蔽層１９の上から目視でＱＲコード１３，１８を確認することができず、ＱＲコード１３，１８の複製を防ぐことができる。
【００３１】
また、上記と同様の理由により、光学読取帳票１０をコピー機で複写した場合、コード化されたデータを光学読取装置で認識することができない。よって、複製されたものであることを容易に判別でき、コピー機を利用した偽造を確実に防止することが可能になる。
【００３２】
〔第２実施形態〕
図６〜１０に本発明の第２実施形態を示す。図６に示すように、本実施形態の光学読取帳票２０は、隠蔽層１４の上に熱擦過に強いインキでオーバープリントした保護層２１を設けたことを特徴とするものである。上述したとおり、光学読取コード印字欄１２にサーマル印字する際に、サーマルヘッドの熱擦過の影響によって隠蔽層１４の表面状態が熱収縮等により変形し、隠蔽層１４の赤外光非吸収インキが素抜け状態になってしまう。そこで本実施形態では、印字面が素抜け状態とならないように、隠蔽層１４の上から透明な耐熱擦過性インキを全面にオーバープリントすることで保護層２１が形成されている。このような耐熱擦過性インキの一例として、ＵＶインキ：Ｚ７０１１（ＪＳＲ製、商品名）を使用することができる。
【００３３】
また、本実施形態では次のような変形例を採用しても良い。図８に示す光学読取帳票２０は、サーマル層１１ｂの赤外発色によるＱＲコード１３に代えて、赤外光吸収材からなるＱＲコード１８を採用したものである。この光学読取帳票２０は、例えば上質紙、再生紙、コート紙等の紙類や、ポリエステルフィルム、ポリプロピレンフィルム等の樹脂フィルムからなる基材１７の上に、ＩＲインキ（赤外線乾燥型インキ）、炭素系の黒色顔料を含有したインキ、あるいは赤外光吸収剤を補助剤として添加したインキ等の、赤外光吸収インキでＱＲコード１８が印字されている。なお、基材１７の表面全体に耐熱擦過性インキによる保護層２１が設けられ、基材１７の裏面に遮光性インキによる透過防止層１６が設けられている点は、図７のものと同様である。
【００３４】
図９に示す光学読取帳票２０は、基材に赤外発色するサーマル紙１１を使用したものであるが、サーマル紙１１の上に形成される隠蔽層２２の構成が異なっている。この隠蔽層２２は、赤外光吸収特性を有しない黒色の耐熱擦過性インキを使用して、このインキをサーマル層１１ｂの上から光学読取コード印字欄１２（ＱＲコード１３のサイズ）の領域に限定して印刷したものである。なお、ＱＲコード１３がサーマル層１１ｂの赤外発色により構成され、サーマル紙１１の裏面に遮光性インキによる透過防止層１６が設けられている点は、図７のものと同様である。
【００３５】
図１０に示す光学読取帳票２０は、図８のものと同様に赤外光吸収材からなるＱＲコード１８を採用し、図９のものと同様に赤外光吸収特性を有しない黒色の耐熱擦過性インキで隠蔽層２２を印刷したものである。なお、基材１７の裏面に遮光性インキによる透過防止層１６が設けられている点は、図７のものと同様である。
【００３６】
本実施形態の光学読取帳票２０によれば、いずれも光学読取コード印字欄１２に耐熱擦過性インキを印刷した保護層２１か、あるいは赤外光吸収特性を有しない黒色の耐熱擦過性インキを印刷した隠蔽層２２が設けられている。このため、ＱＲコード１３，１８の印字時に、サーマルヘッドの熱擦過の影響を受けても保護層２１や隠蔽層２２の表面状態の変化が無くなるので、印字痕がまったく確認できなくなる。したがって、保護層２１や隠蔽層２２の上から目視でＱＲコード１３，１８を認識することができず、ＱＲコード１３，１８の複製を防ぐことができる。
【００３７】
また、上記と同様の理由により、光学読取帳票２０をコピー機で複写した場合、コード化されたデータを光学読取装置で認識することができない。よって、複製されたものであることを容易に判別でき、コピー機を利用した偽造を確実に防止することが可能になる。
【００３８】
〔第３実施形態〕
図１１，１２に本発明の第３実施形態を示す。図１１に示すように、本実施形態の光学読取帳票３０は、ＮＩＰ（ノンインパクトプリンタ）で光学読取コード印字欄１２に印字したものであり、ＮＩＰ特有の光沢によるコードの不正読み取りを防ぐようにしたものである。通常、ＮＩＰで印字すると印字面にトナー光沢や凹凸感が現れるため、印字された文字やコードの形状を確認されてしまう恐れがある。
【００３９】
そこで本実施形態では、図１２に示すように、基材１７の上に赤外光吸収特性を有する黒色トナーでＱＲコード３１を印刷し、このＱＲコード３１の背景に、黒色トナーと同色の赤外光非吸収材で隠蔽層３２を印刷するようにした。また、ＱＲコード３１以外の部分には、透明なトナー、いわゆるクリアトナーで保護層３３が印刷されている。
【００４０】
本実施形態の光学読取帳票３０によれば、光学読取コード印字欄１２を除いた部分にクリアトナーが使用されているため、ＱＲコード３１のコード部分に現れるトナー光沢や凹凸感が目立たなくなる。したがって、トナー光沢や凹凸感によって目視でＱＲコード３１を確認することができず、ＱＲコード３１の不正な読み取りや複製を防止することができる。
【００４１】
なお、一般的に黒色トナーには赤外光吸収特性を有するものが使用されているが、これに代えて、赤外光吸収特性の無い黒色トナーを使用してＱＲコード３１の周辺の印字を行っても良い。この場合には、赤外光吸収特性の無い隠蔽層３２の印刷は不要になる。
【００４２】
〔第４実施形態〕
図１３，１４に本発明の第４実施形態を示す。図１３に示すように、本実施形態の光学読取帳票４０は、光学読取コード印字欄１２とは別に、真偽判定用の判定コード印字欄４１を設けたことが特徴である。通常、赤外光吸収特性のある黒色インキで光学読取コード１８を印字し、赤外光吸収特性の無い黒色インキで隠蔽層１４を印刷した場合でも、両者の可視光域における濃度を完全に一致させることは不可能である。このため、画像解析を利用すれば濃淡の差によって光学読取コード１８を不正に読み取ることができるので、偽造される恐れがある。
【００４３】
そこで本実施形態では、光学読取コード印字欄１２の隣に、この帳票４０が本物か偽物かを判定する判定コード印字欄４１が設けられ、この欄に判定コード４２が印字されている。判定コード４２は、本例ではＱＲコードからなり、図１４に示すように、可視光域では淡色となる赤外光吸収インキをサーマル層１１ｂの上に直接印刷することにより構成されている。また、判定コード印字欄４１には、印字される判定コード４２を外部から目視できないように隠蔽するため、隠蔽層４３が設けられている。隠蔽層４３は、特定波長域の赤外光を吸収しない黒色インキからなり、このインキをサーマル層１１ｂの上から判定コード４２を覆うように被覆印刷することにより構成されている。
【００４４】
本実施形態の光学読取帳票４０を利用する際には、光学読取装置（ＱＲコードリーダー）で判定コード印字欄４１の判定コード４２を読み取って真偽判定を行う。
【００４５】
ここで、ＱＲコードリーダーから照射された赤外光は、赤外光非吸収インキからなる隠蔽層４３を透過し、赤外光吸収インキからなる判定コード４２に吸収される。これにより、判定コード４２が明確に認識され、その判定コード４２を正規のコードと照合して一致すれば、光学読取コード印字欄１２に印字されたＱＲコード１３が本物であると判定してデータを読み取るようにする。これに対して、認識された判定コード４２が正規のコードでないか、あるいは判定コード印字欄４１にそもそも判定コード４２が印字されていない場合には、光学読取コード印字欄１２に印字されたＱＲコード１３が偽物であると判定してデータを読み取らないようにすれば良い。
【００４６】
このように、本実施形態の光学読取帳票４０によれば、光学読取装置を利用して判定コード４２を認識することで初めて光学読取コード印字欄１２を読み取ることによって、真偽判定を行うようにした。しかも、可視光域で淡色の赤外光吸収インキを使用して判定コード４２を印字したことにより、この判定コード４２と隠蔽層４３は可視光域における濃淡の差が０となるため、可視光域で画像解析を利用して判定コード４２を読み取ることは不可能である。したがって、光学読取帳票４０の真偽判定性を高めることができる。
【００４７】
また、判定コード印字欄４１は、判定コード４２の上を隠蔽層４３で覆われているため、判定コード４２を赤外光以外ではまったく確認することができず、判定コード４２が印字されていることさえも認識されることがない。したがって、この光学読取帳票４０は、内情を知る者しか作製することができないため、複製防止性を高めることができる。
【００４８】
〔第５実施形態〕
図１５，１６に本発明の第５実施形態を示す。図１５に示すように、本実施形態の光学読取帳票５０は、光学読取コード印字欄１２とは別に、偽造者を欺くための擬似コード印字欄５３を設けたことが特徴である。上述したとおり、赤外光吸収特性のある黒色インキで光学読取コード１８を印字し、赤外光吸収特性の無い黒色インキで隠蔽層１４を印刷した場合、両者の可視光域における濃度が完全には一致しないため、画像解析により光学読取コード１８を不正に読み取られる恐れがある。
【００４９】
そこで本実施形態では、光学読取コード印字欄１２の隣に、複写による偽造を防ぐための擬似コード印字欄５３が設けられ、この欄に擬似コード５４が印字されている。擬似コード５４は、本例ではＱＲコードからなり、図１６に示すように、基材１７の上に赤外光吸収特性の無い黒色インキで印字することにより構成されている。擬似コード５４は、見た目には通常のＱＲコードと何ら変わらないが、データが記録されていない空のコードである。
【００５０】
これに対して、光学読取コード印字欄１２は、光学読取コード５１と隠蔽層５２を備えている。光学読取コード５１は、擬似コード５４と同じ種類のＱＲコードからなり、本例では基材１７の上に赤外光吸収特性を有する緑色インキで印字することにより構成されている。また、光学読取コード（ＱＲコード）５１の背景には、基材１７の上に赤外光吸収インキと同色の赤外光吸収特性の無い緑色インキで隠蔽層５２が印刷されている。
【００５１】
なお、光学読取コード５１と隠蔽層５２のインキの色は、基材１７の地色と同じ色であるのが好ましい。正規の光学読取コード印字欄１２がより目立たなくなるからである。また、擬似コード５４を赤外光吸収特性の無い黒色インキで印字したが、これに代えて、赤外発色しないサーマル層（図示略）を加熱印字することにより構成しても良い。
【００５２】
本実施形態の光学読取帳票５０のデータを読み取る場合、光学読取装置（ＱＲコードリーダー）から照射された赤外光が、赤外光吸収特性を有する緑インキで構成されたＱＲコード５１に吸収される。これにより、ＱＲコード５１のシンボルを認識することができるので、データセルに記録されたデータを読み取ることができる。
【００５３】
一方、この光学読取帳票５０をコピー機で複写した場合には、ＱＲコード５１と隠蔽層５２が共に緑色トナーによって複写され、光学読取コード印字欄１２が見た目には一様なベタ状態で再現されるので、ＱＲコード５１が隠されていることが分からない。また、擬似コード５４は黒色トナーによって複写され、見た目にはコードのシンボルが再現されるが、これをＱＲコードリーダーで読み取っても、データが記録されていないため読み取ることができない。したがって、複製しようとする者は、コピー機の複写によってＱＲコード（擬似コード）５４を複写したつもりになるが、実際には利用することができず、しかもなぜ複写したＱＲコード（擬似コード）５４が読み取れないのか理由が分からない。よって、コピー機による複製を確実に防止することができる。
【００５４】
また、本実施形態では光学読取コード印字欄１２の隣に擬似コード印字欄５３を設けたが、これと同じ構成で擬似コード５４が無い場合には、目視で光学読取コード１２が不明確となる。すなわち、帳票を光学読取装置に固定して読み取る方式か、又は光学読取装置に搬送して読み取る方式のように、帳票の所定位置を読み取る方式でないと、どの部分に光学読取コード印字欄１２があるのかが分からない。ところが、本実施形態によれば、光学読取コード印字欄１２の隣に目視可能な擬似コード５４が設けられているため、この擬似コード５４が光学読取コード（ＱＲコード）５１を読み取る際の目印となる。よって、光学読取装置の読取方式に左右されないため、帳票のレイアウトの自由度が高くなり、かつ、読取位置の明確化を図ることができるという効果もある。
【００５５】
以上のとおり、上述した実施形態では、基材１１や１７の裏面に遮光性インキで透過防止層１６を設けてあるが、これは必須の構成ではない。例えば使用する用紙として、填料やフィラーの多い透けにくい紙や、白色度が高く光を反射しやすい紙などを選定することにより、透かして見えなければ透過防止層１６を設ける必要は無くなる。また、光学読取コード１３，１８３１，５１、判定コード４２、擬似コード５４の例としてＱＲコードを採用したが、これに限らず、例えばＣＯＤＥ３９、ＣＯＤＥ１２８、ＪＡＮ、ＩＴＦ等のバーコードや、ＰＤＦ４１７、データマトリックス、ＭａｘｉＣｏｄｅ等のその他の２次元コードを採用しても良い。すなわち、本発明は上述の実施形態に限定されるものではなく、本発明の技術的思想の範囲内であれば、当業者の通常の創作能力によって多くの変形が可能である。
【符号の説明】
【００５６】
〔第１実施形態〕
１０…光学読取帳票
１１…基材（サーマル紙）
１２…光学読取コード印字欄
１３…光学読取コード（赤外発色）
１４…隠蔽層（赤外光非吸収インキ）
１５…保護層（マットインキ）
１６…透過防止層（遮光性インキ）
１７…基材（紙、フィルム）
１８…光学読取コード（赤外光吸収インキ）
１９…隠蔽層（赤外光非吸収インキにマット剤を添加した混合インキ）
〔第２実施形態〕
２０…光学読取帳票
２１…保護層（耐熱擦過性インキ）
２２…隠蔽層（赤外光吸収特性を有しない黒色の耐熱擦過性インキ）
〔第３実施形態〕
３０…光学読取帳票
３１…光学読取コード（赤外光吸収特性を有する黒色トナー）
３２…隠蔽層（黒色トナーと同色の赤外光吸収材）
３３…保護層（クリアトナー）
〔第４実施形態〕
４０…光学読取帳票
４１…判定コード印字欄
４２…判定コード（可視光域で淡色の赤外光吸収インキ）
４３…隠蔽層（赤外光非吸収インキ）
〔第５実施形態〕
５０…光学読取帳票
５１…光学読取コード（赤外光吸収特性を有する緑色インキ）
５２…隠蔽層（赤外光吸収特性の無い緑色インキ）
５３…擬似コード印字欄
５４…擬似コード（赤外光吸収特性の無い黒色インキ）
【図１】
0005832010.tif 000002
【図２】
0005832010.tif 000003
【図３】
0005832010.tif 000004
【図４】
0005832010.tif 000005
【図５】
0005832010.tif 000006
【図６】
0005832010.tif 000007
【図７】
0005832010.tif 000008
【図８】
0005832010.tif 000009
【図９】
0005832010.tif 000010
【図１０】
0005832010.tif 000011
【図１１】
0005832010.tif 000012
【図１２】
0005832010.tif 000013
【図１３】
0005832010.tif 000014
【図１４】
0005832010.tif 000015
【図１５】
0005832010.tif 000016
【図１６】
0005832010.tif 000017